(57)【特許請求の範囲】
【請求項１】
硬貨を使用してプレイする複数のゲーム機が設置されたゲーム場で使用され、前記複数のゲーム機から回収された硬貨を両替硬貨として利用する両替機であって、
両替硬貨をバラ積み状態で貯留し、且つ、両替硬貨を補給するための硬貨補給口を有する硬貨貯留容器と、
前記硬貨貯留容器の下方に位置し、前記硬貨貯留容器に貯留された両替硬貨を一枚ずつ分離して放出し、所定の硬貨通路を介して硬貨払出口に払い出す硬貨払出ユニットと、
紙幣入金口に投入された入金紙幣の真偽および金種を判別して正貨紙幣を金種別の紙幣収納庫に集積すると共に、当該集積された紙幣のうち指定された金種および枚数の両替紙幣を紙幣出金口から払い出す紙幣入出金ユニットと、
前記硬貨貯留容器に補給する両替硬貨の枚数または金額に関する硬貨補給情報を入力する入力装置と、
前記硬貨貯留容器に両替硬貨が補給される際に、前記硬貨補給情報に基づいて前記硬貨貯留容器に補給される補給硬貨の金種および枚数から算出される金額に相当する紙幣の金種および枚数の払出しを前記紙幣入出金ユニットのみに対し指令する制御ユニットと、
を備える両替機。
【請求項２】
硬貨を使用してプレイする複数のゲーム機と、投入された紙幣と等価の硬貨を払い出す両替機と、硬貨の集金装置が設置されたゲーム場において、前記複数のゲーム機から前記集金装置を用いて回収された硬貨を、両替硬貨として前記両替機に補充するゲーム場における貨幣管理システムであって、
前記両替機は、
両替硬貨をバラ積み状態で貯留し、且つ、両替硬貨を補給するための硬貨補給口を有する硬貨貯留容器と、
前記硬貨貯留容器の下方に位置し、前記硬貨貯留容器に貯留された両替硬貨を一枚ずつ分離して放出し、所定の硬貨通路を介して硬貨払出口に払い出す硬貨払出ユニットと、
紙幣入金口に投入された入金紙幣の真偽および金種を判別して正貨紙幣を金種別の紙幣収納庫に集積すると共に、当該集積された紙幣のうち指定された金種および枚数の両替紙幣を紙幣出金口から払い出す紙幣入出金ユニットと、
前記硬貨貯留容器に補給する両替硬貨の枚数または金額に関する硬貨補給情報を入力する入力装置と、
前記硬貨貯留容器に両替硬貨が補給される際に、前記硬貨補給情報に基づいて前記硬貨貯留容器に補給される補給硬貨の金種および枚数から算出される金額に相当する紙幣の金種および枚数の払出しを前記紙幣入出金ユニットのみに対し指令する制御ユニットと、を備え、
前記集金装置は、硬貨の計数機能と、硬貨の貯留部と、硬貨の引き出し情報入力部と、前記紙幣入出金ユニットから払い出された紙幣の金種及び枚数に関する情報入力部を備える、
ことを特徴とするゲーム場における貨幣管理システム。
【発明の詳細な説明】
【技術分野】
【０００１】
本発明は、両替機に関し、詳しくは、複数のゲーム機が設置されたゲーム場において使用され、各ゲーム機から回収した硬貨を両替準備金として効率良く適用できる両替機に関する。
【背景技術】
【０００２】
一般に、硬貨を使用するゲーム機が設置されたゲーム場では、顧客の利便性を図るために紙幣を硬貨に両替する両替機が設置されている。通常、ゲーム場では、営業終了後に両替機内に残存する硬貨や紙幣を一旦回収した後、所定の保管場所に保管するようにしている。硬貨を回収する機能を有する両替機としては、特許文献１に開示されたものがある。
【０００３】
特許文献１の両替装置は、紙幣挿入口から挿入された紙幣を識別する紙幣識別器、貯留部としてのタンク、タンクの下方に配置された投出器、投出器の下方に配置された着脱自在な金庫としてのケース、投出器に対応して設けられたシュータおよび案内部材としてのフラップを備えている。タンクにはその下端部に蝶番を介して揺動自在に取り付けられた蓋体が設けられており、蓋体を前方へ開くことによりメダルまたは硬貨を補充できるように構成されている。投出器は、メダルまたは硬貨を収容するホッパと、モータにより駆動されるメダルまたは硬貨の送り機構と、を有している。送り機構が作動することによりホッパ内のメダルまたは硬貨が順次送り機構に取り入れられ、シュータを経て投げ出される。フラップは、矩形板状であり、投出器の前方において左右方向に横切る回動自在なシャフトに固着されている。シャフトは位置決め手段によって回転駆動されて２つの角度に位置決めされ、これに応じてフラップが投出器により投げ出されたメダルまたは硬貨を斜め前方の取出口へ向けて案内する第１位置と下方のケースに向けて案内する第２位置とに位置決めされる。上記構成により、両替時にはフラップが第１位置に位置決めされてメダルまたは硬貨が取出口に払い出され、回収時にはフラップが第２位置に位置決めされてメダルまたは硬貨が金庫としてのケースに払い出される。
【先行技術文献】
【特許文献】
【０００４】
【特許文献１】特開平７−６５２１５号公報（図１〜図６、段落番号００２３〜００３０）
【発明の開示】
【発明が解決しようとする課題】
【０００５】
通常、ゲーム場では、営業終了後に各ゲーム機で使用された硬貨の回収作業が行われると共に、両替機に残存する紙幣および硬貨の回収を行う。回収された硬貨や紙幣は所定の保管場所に保管される。そして、営業開始前に両替機への両替硬貨や両替紙幣が所定量供給される。
【０００６】
このように従来は両替機に残存する硬貨をも回収しているため、回収作業が繁雑になるばかりか、硬貨の回収にはある程度の時間を要する。これは、投出器の投げ出し速度が８枚／秒程度であり、例えば、７０００枚の硬貨を投げ出すのに１４分以上を要することになる。
【０００７】
本発明は上記問題点を鑑みてなされたものであり、その目的とするところは、両替機における硬貨の回収作業の煩雑さを改善すると共に、利便性を高めた両替機を提供することにある。
本発明の他の目的は、硬貨による売上金を紙幣に等価交換することができる両替機を提供することにある。
本発明のさらに他の目的は、売上金に占める硬貨の割合を減少させて、売上金の管理を容易にすることができる両替機を提供することにある。
ここに明記しない本発明の他の目的は、以下の説明および添付図面から明らかである。
【課題を解決するための手段】
【０００８】
この目的を達成するため、本発明に係る両替機は以下のように構成される。
【０００９】
本発明の両替機は、硬貨を使用してプレイする複数のゲーム機が設置されたゲーム場で使用され、前記複数のゲーム機から回収された硬貨を両替硬貨として利用する両替機であって、両替硬貨をバラ積み状態で貯留し、且つ、両替硬貨を補給するための硬貨補給口を有する硬貨貯留容器と、前記硬貨貯留容器の下方に位置し、前記硬貨貯留容器に貯留された両替硬貨を一枚ずつ分離して放出し、所定の硬貨通路を介して硬貨払出口に払い出す硬貨払出ユニットと、紙幣入金口に投入された入金紙幣の真偽および金種を判別して正貨紙幣を金種別の紙幣収納庫に集積すると共に、当該集積された紙幣のうち指定された金種および枚数の両替紙幣を紙幣出金口から払い出す紙幣入出金ユニットと、前記硬貨貯留容器に補給する両替硬貨の枚数または金額に関する硬貨補給情報を入力する入力装置と、前記硬貨貯留容器に両替硬貨が補給される際に、前記硬貨補給情報に基づいて前記硬貨貯留容器に補給される硬貨と同額の金種および枚数を指定して両替紙幣を払い出すよう前記紙幣入出金ユニットを制御する制御ユニットと、を備える両替機である。
【００１０】
本発明の両替機では、両替硬貨をバラ積み状態で貯留する硬貨貯留容器が設けられると共に、硬貨貯留容器に貯留された両替硬貨を一枚ずつ分離して放出する硬貨払出ユニットが設けられている。さらに、入金紙幣を金種別に紙幣収納庫に集積すると共に、紙幣収納庫に集積された両替紙幣を払い出す紙幣入出金ユニットが設けられている。紙幣入金口に紙幣が入金されると、入金紙幣の金額と同額の硬貨および／または紙幣への両替が行われる。硬貨への両替は、硬貨払出ユニットが作動され、指定された枚数の両替硬貨が硬貨払出ユニットによって放出され、所定の硬貨通路を介して硬貨払出口に払い出されることによってなされる。紙幣への両替は、紙幣入出金ユニットが作動され、指定された金種および枚数の両替紙幣が紙幣出金口へ払い出されることによりなされる。
【００１１】
他方、両替硬貨の補給は、硬貨貯留容器の硬貨供給口に複数のゲーム機から回収された硬貨を投入することによりなされる。その際に、補給する両替硬貨の枚数または金額に関する硬貨補給情報が入力装置で入力される。そして、制御ユニットが入力された硬貨補給情報に基づいて補給される硬貨と同額の両替紙幣の払い出しを紙幣入出金ユニットに対して指定し、紙幣入出金ユニットが指定された金額の両替紙幣を紙幣出金口から払い出す。
【００１２】
このようにゲーム機からの回収硬貨を硬貨の補給に用いることにより、硬貨の回収作業が改善され、利便性を高めることができる。また、ゲーム機から回収された硬貨はゲーム機における売上金に相当するため、硬貨による売上金を紙幣に等価交換することができる。そのため、売上金に占める硬貨の割合が減少し、売上金の管理が容易になる。
【発明の効果】
【００１３】
本発明の両替機では、（ａ）両替機における硬貨の回収作業の煩雑さが改善されて利便性が高まる、（ｂ）硬貨による売上金を紙幣に等価交換することができる、（ｃ）売上金における硬貨の割合が減少することによって売上金の管理が容易になる、という効果が得られる。
【図面の簡単な説明】
【００１４】
【図１】本発明の一実施形態の両替機を示す斜視図である。
【図２】図１の両替機の前扉を開いた状態を示す正面図である。
【図３】図１の両替機を構成する硬貨貯留容器を示す、硬貨補給扉が閉じた状態の斜視図である。
【図４】図３の硬貨貯留容器を示す、硬貨補給扉が開いた状態の斜視図である。
【図５】図１の両替機を構成する硬貨払出ユニットおよび硬貨振分シュートを示す、回動板が回収位置にある状態の斜視図である。
【図６】図５の硬貨払出ユニットおよび硬貨振分シュートを示す、回動板が払出位置にある状態の斜視図である。
【図７】図１の両替機を構成する硬貨回収シュートを示す斜視図である。
【図８】図１の両替機の前扉側における構成を示す背面図である。
【図９】図１の両替機を構成する紙幣入出金ユニットを示す斜視図である。
【図１０】図８の紙幣入出金ユニットを示す正面図である。
【図１１】図１の両替機を構成する制御ユニットを示す正面図である。
【図１２】図１１の制御ユニットを示す概略ブロック図である。
【図１３】図１の両替機を示す概略ブロック図である。
【図１４】図１の両替機の通常時の動作を示すフローチャートである。
【図１５】図１の両替機の通常時の動作を示すフローチャートで、図１４の続きである。
【図１６】図１の両替機の硬貨補給時の動作を示すフローチャートである。
【図１７】図１の両替機の硬貨補給時の動作を示すフローチャートで、図１６の続きである。
【図１８】図１の両替機が使用されるゲーム場の運営システムを示す構成である。
【発明を実施するための形態】
【００１５】
以下、本発明の実施の形態を添付図面に基づいて説明する。
【００１６】
（両替機の全体構成）
図１は、本発明の一実施形態の両替機１０を示す。両替機１０は、箱形の筐体１０２と筐体１０２にヒンジ１０６を介して開閉可能に取り付けられた前扉１０４とを備えている。前扉１０４の上部には、表示装置１０８と、５つの操作ボタン１１０が配置されている。表示装置１０８には投入金額や両替時の紙幣および硬貨の種類などの各種情報が表示され、操作ボタン１１０を適宜に操作することにより、両替時の紙幣および硬貨の種類が選択される。前扉１０４の右側には、紙幣入金口１１２および紙幣出金口１１４が配置されている。紙幣入金口１１２には両替対象紙幣が投入され、紙幣出金口１１４からは返却紙幣や両替紙幣が払い出される。前扉１０４のほぼ中央には、硬貨投入口１１６および硬貨返却レバー１１８が配置され、その斜め下方には、硬貨払出口１２０と硬貨払出口１２０を介して払い出された硬貨を貯留する硬貨受皿１２２とが配置されている。硬貨投入口１１６には、５００円硬貨または１００円硬貨が投入される。返却レバー１１８が操作されると、硬貨投入口１１６に投入された硬貨が硬貨払出口１２０を介して硬貨受皿１２２へ返却される。操作ボタン１１０の操作により選択された種類の硬貨は、硬貨払出口１２０を介して硬貨受皿１２２に貯留される。前扉１０４は、前扉１０４の右下方に位置する主ロック装置１２４によって施解錠可能である。
【００１７】
次に、図２を参照しながら、両替機１０の内部構成について説明する。筐体１０２は、２つの棚部材１２６、１２８によって上段、中段および下段に区画されている。棚部材１２６で区画された筐体１０２の上段には、両替機１０の全体を制御する制御ユニット１３０が配置されている。棚部材１２６および棚部材１２８で区画された筐体１０２の中段には、左側に２つの硬貨払出ユニット１３１、１３２が配置され、右側に紙幣入出金ユニット１３６が配置されている。硬貨払出ユニット１３１の上方には１００円硬貨を貯留する硬貨貯留容器１３８が配置され、硬貨払出ユニット１３２の上方には５００円硬貨を貯留する硬貨貯留容器１４０が配置されている。硬貨払出ユニット１３１の下方には硬貨振分シュート１３３が配置され、硬貨払出ユニット１３２の下方には硬貨振分シュート１３４が配置されている。棚部材１２８で区画された筐体１０２の下段には、左側に２つの硬貨回収シュート１４２、１４４が配置され、右側に電源ユニット１５０が配置されている。硬貨回収シュート１４２は硬貨振分シュート１３３の下方に位置し、硬貨回収シュート１４４は硬貨振分シュート１３４の下方に位置している。硬貨回収シュート１４２の下方には硬貨回収袋１４６が配置され、硬貨回収シュート１４４の下方には硬貨回収袋１４８が配置されている。硬貨回収袋１４６は硬貨回収シュート１４２の一対の掛止体１４５を介して硬貨回収シュート１４２に吊り下げられ、硬貨回収袋１４８は硬貨回収シュート１４４の一対の掛止体１４５を介して硬貨回収シュート１４４に吊り下げられている。
【００１８】
前扉１０４の裏面側において、中央部には硬貨選別装置１５４が配置され、下部には硬貨金庫１５６、１５８が配置されている。硬貨金庫１５６には５００円硬貨が収納され、硬貨金庫１５８には１００円硬貨が収納される。硬貨選別装置１５４の投入口（図示せず）の上方には、硬貨投入口１１６に投入された硬貨を硬貨選別装置１５４の投入口へ案内するシュート１６０が配置されている。硬貨選別装置１５４の第１正貨口（図示せず）の下方には、硬貨選別装置１５４で正貨として選別された５００円硬貨を硬貨金庫１５８へ案内するシュート１６２が配置される。硬貨選別装置１５４の第２正貨口（図示せず）の下方には、硬貨選別装置１５４で正貨として選別された１００円硬貨を硬貨金庫１５６へ案内するシュート１６４が配置されている。図２におけるシュート１６２の右側には、硬貨払出ユニット１３１、１３２から払い出された硬貨を硬貨振分シュート１３３、１３４を介して受け入れて硬貨払出口１２０へ案内する共通シュート１６６が配置されている。硬貨選別装置１５４の返却口（図示せず）と共通シュート１６６の間にはシュート１６８が配置されている。
【００１９】
次に、図３および図４を参照しながら、硬貨貯留容器１３８、１４０について説明する。硬貨貯留容器１３８、１４０は同じ構成であるため、ここでは硬貨貯留容器１３８についてのみ説明し、硬貨貯留容器１４０の説明は省略する。硬貨貯留容器１３８は、左側板１７２、右側板１７４、背面板１７６および前面部１７８により構成されている。硬貨貯留容器１３８は、上下が開口した筒状であって、その内部に硬貨を貯留する貯留空間１８０を形成している。硬貨貯留容器１３８が筐体１０２に配置された状態において、硬貨貯留容器１３８の上部開口は、その上方に位置する棚部材１２６によって閉鎖されている。硬貨貯留容器１３８の下端には開口１９８が形成されており、当該開口１９８を介して後述する硬貨払出ユニット１３２の保留ボウル２０８に連通している。これにより、硬貨貯留容器１３８は、保留ボウル２０８と協働して硬貨を貯留する。
【００２０】
前面部１７８は、その一部が前方へ突出し、上方から下方へ向けて順に配置された第１前面板１８２、第２前面板１８４、第３前面板１８６、第４前面板１８８により構成されている。第２前面板１８４および第４前面板１８８は、左側板１７２および右側板１７４に対して固定されている。第１前面板１８２はヒンジ１９０を介して第２前面板１８４に回動可能に取り付けられ、第３前面板１８６はヒンジ１９２を介して第４前面板１８８に回動可能に取り付けられている。第１前面板１８２の上部には施解錠可能なロック機構１９４が設けられ、第３前面板１８６の上部には施解錠可能なロック機構１９６が設けられている。図４に示すように、ロック機構１９４を解錠して第１前面板１８２を図４の反時計方向に回動することにより、硬貨を投入するための硬貨補給口２００が開放される。この硬貨補給口２００を介して硬貨貯留容器１３８への硬貨の補給が行われる。第３前面板１８６についても同様に、ロック機構１９６を解錠して反時計方向に回動することにより、硬貨取出口（図示せず）が開放される。この硬貨取出口は、硬貨貯留容器１３８に貯留された硬貨を手動で取り出すために使用される。
【００２１】
次に、図５を参照しながら、硬貨払出ユニット１３１、１３２について説明する。硬貨払出ユニット１３１、１３２は同じ構成であるため、ここでは硬貨払出ユニット１３１についてのみ説明し、硬貨払出ユニット１３２の説明を省略する。硬貨払出ユニット１３１は、上面が傾斜した基台２０２、基台２０２上に固定されたベース部材２０４、ベース部材２０４に設けられた硬貨送出機構２０６、ベース部材２０４に着脱可能に取り付けられた保留ボウル２０８および基台２０２の下方に配置された電気モータ２１０を備えている。基台２０２は、下向きコの字形に形成され、その左右において鉛直方向に延在する脚部（図示せず）を有している。ベース部材２０４は平板状であって、前面側に向けて斜め上方に傾斜し、硬貨送出機構２０６によって移動される硬貨の一面を支持する。保留ボウル２０８は、略矩形の開口１０９ａが形成された上部２０９ｂと、底部に底穴（図示せず）が形成された円筒形の下部２０９ｃと、上部２０９ｂおよび下部２０９ｃの間に形成された傾斜部２０９ｄと、を有している。保留ボウル２０８は、硬貨貯留容器１３８の下方に位置し、保留ボウル２０８の開口２０９ａと硬貨貯留容器１３８の底部に形成された開口１９８とが対応して配置されることにより、硬貨貯留容器１３８と保留ボウル２０８とが連通している。換言すれば、硬貨貯留容器１３８に貯留された硬貨は保留ボウル２０８に供給されて貯留される。保留ボウル２０８に貯留された硬貨は傾斜部２０９ｄによって滑落して上部２０９ｂから下部２０９ｃに達し、下部２０９ｃの底穴を介して硬貨送出機構２０６に供給される。硬貨送出機構２０６は、電気モータ２１０により駆動され、保留ボウル２０８から供給された硬貨を一枚ずつ分離して硬貨出口２１２を介して放出する。硬貨送出機構２０６としては、例えば、特公昭６３−３６０４０号公報に開示された機構が使用される。硬貨送出機構２０６により硬貨出口２１２に送られる硬貨は、図示しない硬貨センサにより検知される。この硬貨センサで硬貨出口２１２を介して放出される硬貨の枚数をカウントすることができる。硬貨出口２１２の近傍には、硬貨送出機構２０６により硬貨出口２１２から放出される硬貨を斜め前方へ案内する案内部材２１３が取り付けられている。案内部材２１３は、後述する硬貨振分シュート１３３の上部において硬貨通路２１５に延在している。これにより、硬貨払出ユニット１３２の硬貨出口２１２から放出された硬貨は硬貨通路２１５に導入される。
【００２２】
次に、図５および図６を参照しながら、硬貨振分シュート１３３、１３４について説明する。硬貨振分シュート１３３、１３４は同じ構成であるため、ここでは硬貨振分シュート１３３についてのみ説明し、硬貨振分シュート１３４の説明は省略する。硬貨振分シュート１３３は、硬貨払出ユニット１３１の前方に配置され、硬貨払出ユニット１３１の基台２０２に取り付けられている。硬貨振分シュート１３３は、鉛直方向に延在する断面視矩形の硬貨通路２１５を形成すると共に、自重により硬貨通路２１５を通って落下する途上の硬貨を斜め前方および鉛直下方のいずれか一方に選択的に振り分ける。硬貨通路２１５を形成する通路形成部材２１６の前面板２１７には開口２１８が形成され、開口２１８には回動板２２０が配置されている。回動板２２０は、その下端部近傍において両側端から横方向に突出する一対の支軸（図示せず）を有しており、当該支軸が通路形成部材２１５に形成された一対の軸孔（図示せず）に挿入されている。これにより、回動板２２０は支軸を中心に回動可能である。通路形成部材２１５の右側方には回動板２２０を回動させる駆動部としてのソレノイド２２２が配置され、ソレノイド２２２のプランジャ（図示せず）と回動板２２０との間にはリンク機構（図示せず）が設けられている。ソレノイド２２２のプランジャは戻りバネ（図示せず）によりソレノイド２２２の本体から離れる方向に付勢されている。ソレノイド２２２が非通電状態の場合、戻りバネの作用により回動板２２０は前面板２１７と面一となる回収位置ＣＰ（図５参照）に位置するため、硬貨は硬貨通路２１５に沿って移動し、硬貨通路２１５の底部に形成された開口２２４に達する。ソレノイド２２２が通電状態の場合、ソレノイド２２２のプランジャは戻りバネの付勢力に抗してソレノイド２２２の本体側に引き込まれ、リンク機構を介して回動板２２０が回動されて回収位置ＣＰから払出位置ＤＰに変位する（図６参照）。この状態では、回動板２２０が硬貨通路２１５の内部に侵入して硬貨通路２１５を遮るため、硬貨払出ユニット１３１から導入された硬貨は、回動板２２０によって斜め前方へ案内され、開口２１８を介して放出されることになる。
【００２３】
次に、図２および図７を参照しながら、硬貨回収シュート１４２、１４４について説明する。硬貨回収シュート１４２、１４４は同じ構成であるため、ここでは硬貨回収シュート１４２についてのみ説明し、硬貨回収シュート１４４の説明は省略する。硬貨回収シュート１４２は、硬貨振分シュート１３３において回動板２２０が回収位置ＣＰに位置する状態で、硬貨払出ユニット１３１が作動された場合に、硬貨振分シュート１３３の開口２２４から落下する硬貨を下方に案内して硬貨回収袋１４６に導入する。硬貨回収シュート１４２は、内部に硬貨通路２２６を形成する硬貨通路形成体２２５を有している。硬貨通路形成体２２５は、前面板２２５ａ、背面板２２５ｂ、左側板２２５ｃおよび右側板２２５ｄによって構成されている。前面板２２５ａは、鉛直方向に延在する上部２２５ａａ、斜め後方に向けて傾斜した中間部２２５ａｂおよび鉛直下方に延在する下部２２５ａｃを有している。中間部２２５ａｂの上端は上部２２５ａａの下端に接続され、中間部２２５ａｂの下端は下部２２５ａｃの上端に接続されており、上部２２５ａａ、中間部２２５ａｂおよび下部２２５ａｃは一体で形成されている。これにより、硬貨通路形成体２２５において、上端に相対的に大きい矩形の開口２２７が形成され、下端に相対的に小さい矩形の開口２２８が形成される。開口２２７は硬貨振分シュート１３３の下端の開口２２４に対応して配置されるため、開口２２７を大きくすることにより硬貨振分シュート１３３の開口２２４から落下する硬貨を確実に硬貨通路２２６に導入することができる。硬貨通路形成体２２５の左側板２２５ｃおよび右側板２２５ｄには、硬貨回収袋１４６を吊り下げるための一対の掛止体１４５がそれぞれ取り付けられている。硬貨回収袋１４６は、掛止体１４５を介して着脱可能に取り付けられる。硬貨通路形成体２２５の左側板２２５ｃおよび右側板２２５ｄには、略Ｌ字形の取り付け部材２２９がそれぞれ固定されている。硬貨回収シュート１４２は、取り付け部材２２９を介して棚部材１２８に固定されている。
【００２４】
次に、図８を参照しながら、前扉１０４に取り付けられた硬貨選別装置１５４について説明する。硬貨選別装置１５４は、投入口１５４ａに投入された硬貨の真偽および金種を判別し、５００円正貨を第１正貨口１５４ｂから放出し、１００円正貨を第２正貨口１５４ｃから放出すると共に、偽貨または５００円、１００円以外の硬貨を返却口１５４ｄから放出する。硬貨選別装置１５４の投入口１５４ａの上方には、硬貨の受け入れを確実にするための誘導部材１５５が配置されている。誘導部材１５５は、横幅が投入口１５４ａと同一であって、前後の長さにおいて上端から下端に向けて小さくなるよう設定された末すぼまりの内寸法を有している。
【００２５】
次に、図８を参照しながら、前扉１０４に取り付けられた共通シュート１６６について説明する。共通シュート１６６は、硬貨振分シュート１３３の開口２１８から放出された１００円硬貨および硬貨振分シュート１３４の開口２１８から放出された５００円硬貨を硬貨払出口１２０に案内すると共に、硬貨選別装置１５４の返却口から放出された返却硬貨を硬貨払出口１２０に案内する。共通シュート１６６は、図７の右上方に配置された硬貨受入口２３２と左上方に配置された硬貨受入口２３４とを有している。前扉１０４を閉じた状態において、硬貨受入口２３２は硬貨振分シュート１３３の開口２１８に対応して配置され、硬貨受入口２３４は硬貨振分シュート１３４の開口２１８に対応して配置されるように共通シュート１６６が構成されている。硬貨受入口２３２の下方には隔壁２３６および傾斜壁２４０が形成され、硬貨受入口２３４の下方には隔壁２３８および傾斜壁２４２が形成されている。共通シュート１６６の底部には、前下がりの斜面２４４が形成されている。硬貨受入口２３２に導入された硬貨は、自重により傾斜壁２４０上に落下し、傾斜壁２４０を滑落した後、斜面２４４により硬貨払出口１２０に向けて移動する。同様に、硬貨受入口２３４に導入された硬貨は、自重により傾斜壁２４２上に落下し、傾斜壁２４２を滑落した後、斜面２４４により硬貨払出口１２０に向けて移動する。
【００２６】
次に、図８を参照しながら、前扉１０４に取り付けられたシュート１６０、１６２、１６４、１６８について説明する。シュート１６０、１６２、１６４、１６８は、断面視矩形の硬貨通路（図示せず）を形成して硬貨の自重により所定の位置へ硬貨を移動させる。シュート１６０は、硬貨投入口１１６から鉛直下方に向けて延在して誘導部材１５５に達しており、硬貨投入口１１６に投入された硬貨を硬貨選別装置１５４の投入口１５４ａへ案内する。シュート１６２は、硬貨選別装置１５４の第１正貨口１５４ｂから鉛直下方に向けて延在して硬貨金庫１５８に達しており、第１正貨口１５４ｂから放出される５００円硬貨を硬貨金庫１５８へ案内する。シュート１６４は、硬貨選別装置１５４の第２正貨口１５４ｃから屈曲しつつ下方に延在して硬貨金庫１５６に達しており、第２正貨口１５４ｃから放出される１００円硬貨を硬貨金庫１５６へ案内する。シュート１６８は、硬貨選別装置１５４の返却口１５４ｄから鉛直下方に延在して共通シュート１６６の硬貨受入口２３４に達しており、返却口１５４ｄから放出される偽貨または５００円、１００円以外の硬貨を硬貨受入口２３４へ案内する。
【００２７】
次に、図８を参照しながら、硬貨金庫１５６、１５８について説明する。硬貨金庫１５６は、硬貨選別装置１５４で１００円正貨として判別された硬貨を貯留する。硬貨金庫１５８は、硬貨選別装置１５４で５００円正貨として判別された硬貨を貯留する。硬貨金庫１５６はロック機構２４６を有し、硬貨金庫１５８はロック機構２４８を有している。硬貨金庫１５６、１５８は、前扉１０４に対して着脱可能に取り付けられている。ロック機構２４６、２４８を解錠することにより、硬貨金庫１５６、１５８を取り外すことができる。
【００２８】
次に、図９および図１０を参照しながら、紙幣入出金ユニット１３６について説明する。紙幣入出金ユニット１３６は、箱形の筐体２５２と、筐体２５２の前面板２５４の上端部に配置された紙幣入金口１１２と、前面板２５４において紙幣入金口１１２の下方に配置された紙幣出金口１１４とを有している。筐体２５２の内部には、５千円紙幣および２千円紙幣を収納する第１紙幣収納庫２５７と、１万円紙幣を収納する第２紙幣収納庫２５８と、１千円紙幣を収納する第３紙幣収納庫２５９とが設けられている。前面板２５４には筐体２５２の左側板２５５の開閉を規制するロック機構２５６が設けられ、ロック機構２５６を解錠することにより左側板２５５を開くことができる。第１、第２および第３紙幣収納庫２５７、２５８、２５９における紙幣の取り出しおよび補給は左側板２５５を開いた状態で行われる。紙幣入金口１１２に紙幣が投入された場合、図示しない第１紙幣搬送機構によって筐体２５２の内部に紙幣が取り込まれ、図示しない紙幣識別部により紙幣の真偽および金種が判別される。紙幣識別部により正貨と判別された場合には、図示しない第２紙幣搬送機構によって下方に搬送された後、判別された金種に応じて第１、第２および第３紙幣収納庫２５７、２５８、２５９のいずれかに振り分けられて収納される。紙幣識別部により偽貨と判別された場合には、第１紙幣搬送機構により紙幣が逆方向に搬送され、紙幣入金口１１２に戻される。第２および第３紙幣収納庫２５８、２５９は、リサイクル収納庫として構成され、第２および第３紙幣収納庫２５８、２５９に収納された紙幣は図示しない第３紙幣搬送機構によって紙幣出金口１１４へ向けて搬送され、紙幣出金口１１４から払い出される。
【００２９】
次に、図１１〜図１３を参照しながら、制御ユニット１３０について説明する。制御ユニット１３０は、主制御部２６１、複数のボタンから構成される入力キー２６２、表示部２６４、プリンタ２６６、入出力制御部２８０、紙幣入出金制御部２８２、硬貨払出計数制御部２８４および振分制御部２８６を含んでいる。入力キー２６２、表示部２６４およびプリンタ２６６は、制御ユニット１３０の前面板側に配置されている。主制御部２６１は、両替機１０の所定機能を実行するために入出力制御部２８０、紙幣入出金制御部２８２、硬貨払出計数制御部２８４および振分制御部２８６を制御する。また、主制御部２６１は、両替機１０の設定情報を表示部２６４へ表示すると共に入力キー２６２の操作に対応して当該設定情報を変更する。さらに、主制御部２６１は、両替機１０における入出金情報をプリンタ２６６から出力する。また、制御ユニット１３０は、硬貨貯留容器１３８へ硬貨を補給する場合に、入力キー２６２により当該硬貨の補給枚数が入力され、入力された硬貨補給枚数に対応する金額の紙幣を払い出すよう紙幣入手金制御部２８２を制御する。
【００３０】
入出力制御部２８０は、主制御部２６１から出力された表示情報に基づいて表示装置１０８を制御し、表示装置１０８に各種情報を表示させる。両替機１０の利用者は、表示装置１０８に表示された情報を視認して操作ボタン１１０を操作する。入出力制御部２８０は、操作ボタン１１０の操作に応じた操作情報を主制御部２６１へ出力する。
【００３１】
紙幣入出金制御部２８２は、紙幣入出金ユニット１３６から出力された紙幣入出金信号に基づいて紙幣入金情報および紙幣出金情報を主制御部２６１へ出力する。主制御部２６１は、紙幣入金情報および紙幣出金情報に基づいて紙幣入出金ユニット１３６における各金種の紙幣の入出金に関する情報を記憶する。主制御部２６１が紙幣の払い出しが必要と判断した場合、主制御部２６１が紙幣入出金制御部２８２に紙幣払出指令を出力し、紙幣入出金制御部２８２が紙幣入出金ユニット１３６を制御することにより、指定された金種および枚数の紙幣が紙幣入出金ユニット１３６から払い出される。
【００３２】
硬貨払出計数制御部２８４は、硬貨払出ユニット１３１、１３２の作動を制御すると共に、硬貨払出ユニット１３１、１３２の硬貨センサによって検知された硬貨検知信号に基づいて硬貨払出ユニット１３１、１３２で払い出された硬貨を計数する。主制御部２６１が硬貨の払い出しが必要と判断した場合、硬貨払出計数制御部２８４に対して金種および払出枚数を指定する硬貨払出指令を出力する。硬貨払出指令を受けた硬貨払出計数制御部２８４は、指定された金種に対応する硬貨払出ユニット１３１または硬貨払出ユニット１３２を選択して硬貨の払い出しを開始させると共に、硬貨の払出枚数を計数する。払出枚数が指定された枚数に達した時点で、硬貨払出計数制御部２８４は、硬貨払出ユニット１３１または硬貨払出ユニット１３２における硬貨の払い出しを停止させる。主制御部２６１が硬貨の回収が必要と判断した場合、硬貨払出計数制御部２８４に対して金種を指定する硬貨回収指令を出力する。硬貨回収指令を受けた硬貨払出計数制御部２８４は、指定された金種に対応する硬貨払出ユニット１３１または硬貨払出ユニット１３２を選択して硬貨の払い出しを開始させると共に、硬貨の払出枚数を計数する。硬貨払出ユニット１３１または硬貨払出ユニット１３２において硬貨センサにより所定時間硬貨の検出がなされない場合には、硬貨払出計数制御部２８４が貯留された全ての硬貨が払い出されたものと判断し、硬貨払出ユニット１３１または硬貨払出ユニット１３２における硬貨の払い出しを停止させる。
【００３３】
振分制御部２８６は、硬貨振分シュート１３３、１３４におけるソレノイド２２２の作動を制御して回動板２２０を払出位置ＤＰおよび回収位置ＣＰのいずれか一方に位置させる。主制御部２６１が硬貨の払い出しが必要と判断した場合、振分制御部２８６に対して硬貨の金種および振分位置を指定する振分指令を出力する。振分指令を受けた振分制御部２８６は、指定された金種に対応する硬貨振分シュート１３３または硬貨振分シュート１３４におけるソレノイド２２２を通電状態として回動板２２０を回収位置ＣＰから払出位置ＤＰに移動させる。主制御部２６１が硬貨の払い出しが完了したと判断した場合、振分制御部２８６に対して硬貨払出完了指令を出力する。硬貨払出完了指令を受けた振分制御部２８６は、硬貨振分シュート１３３または硬貨振分シュート１３４におけるソレノイド２２２を非通電状態として回動板２２０を払出位置ＤＰから回収位置ＣＰに移動させる。
【００３４】
硬貨入金計数部２８８は、硬貨選別装置１５４から出力される硬貨検出信号に基づいて、硬貨選別装置１５４で正貨と判別された硬貨を金種別に計数し、計数された金種別の枚数を示す情報を主制御部２６１に出力する。
【００３５】
入力キー２６２は、両替機１０の管理者により操作され、主制御部２６１の入力装置として機能する。入力キー２６２により主制御部２６１に対して設定情報の出力が指定された場合、主制御部２６１は表示部２６４に主制御部２６１に記憶された設定情報を表示する。入力キー２６２により主制御部２６１に対して設定情報の変更が指定された場合、主制御部２６１は主制御部２６１に記憶された設定情報を更新する。入力キー２６２により主制御部２６１に対して入出金情報の出力が指定された場合、主制御部２６１は主制御部２６１に記憶された入出金情報をプリンタ２６６に出力し、プリンタ２６６により入出金情報が印刷される。入出金情報とは、紙幣入出金ユニット１３６の金種別の紙幣受け入れ枚数および紙幣払い出し枚数、硬貨選別装置１５４における金種別の硬貨受け入れ枚数、硬貨払出ユニット１３１、１３２における金種別の硬貨払い出し枚数、硬貨回収袋１４６、１４８における金種別の硬貨回収枚数、紙幣入出金ユニット１３６および硬貨選別装置１５４の受け入れ合計金額などである。
【００３６】
入力キー２６２により主制御部２６１に対して硬貨の補給が指定された場合、主制御部２６１は硬貨の補給枚数を入力する促す情報を表示部２６４に表示する。管理者は入力キー２６２を操作して硬貨補給枚数を入力し、入力された硬貨補給枚数が主制御部２６１に記憶される。主制御部２６１は、記憶された硬貨補給枚数に対応する金額の紙幣払出指令を紙幣入出金制御部２８２に出力し、紙幣入出金制御部２８２が紙幣入出金ユニット１３６を制御することにより、硬貨補給枚数に対応する金額の紙幣が紙幣入出金ユニット１３６の紙幣出金口１１４から払い出される。
【００３７】
（両替機の動作）
次に、両替機１０の動作について説明する。まず、図１３および図１４を参照しながら、両替機１０において通常行われる両替動作および逆両替動作について説明する。
【００３８】
ステップＳ１では、入金が検知されたか否かが判断される。すなわち、紙幣の投入により紙幣入出金ユニット１３６が正貨と判別した場合には、紙幣入出金ユニット１３６が紙幣入金信号を紙幣入出金制御部２８２へ出力し、紙幣入出金制御部２８２が投入された紙幣の金種を示す情報を主制御部２６１へ出力する。他方、硬貨の投入により硬貨選別装置１５４が正貨と判別した場合には、硬貨選別装置１５４が硬貨検知信号を硬貨入金計数部２８８へ出力し、硬貨入金計数部２８８が投入された硬貨の金種および枚数を示す情報を主制御部２６１へ出力する。主制御部２６１は、紙幣入出金制御部２８２または硬貨入金計数部２８８からの情報を受けて入金があったことを検知する。ステップＳ１において、入金を検知した場合には、次のステップＳ２に進み、入金を検知しない場合にはステップＳ１を繰り返し実行する。換言すれば、ステップＳ１は、入金を検知するまでは待機状態となる。
【００３９】
次のステップＳ２では、紙幣の入金であるか否かが判断される。すなわち、紙幣入出金制御部２８２が投入された紙幣の金種を示す情報を主制御部２６１へ出力した場合には、紙幣の入金があったと判断して次のステップＳ３に進む。この場合には、紙幣の両替であると主制御部２６１が判断する。硬貨入金計数部２８８が投入された硬貨の金種および枚数を示す情報を主制御部２６１へ出力した場合には、ステップＳ２において紙幣の入金ではないと判断してステップＳ１２に進む。
【００４０】
ステップＳ３では、主制御部２６１が入出力制御部２８０に表示情報を出力し、入出力制御部２８０が投入された紙幣の金種に応じた両替金種および枚数を表示装置１０８に表示する。例えば、金種が１千円紙幣である場合、５００円硬貨１枚と１００円硬貨５枚の両替とするか、１００円硬貨１０枚の両替とするかを表示装置１０８に表示する。紙幣が１万円である場合、１千円紙幣９枚と１００円硬貨１０枚の両替とするか、１千円紙幣９枚と５００円硬貨１枚と１００円硬貨５枚の両替とするか、１千円紙幣１０枚の両替とするかを表示装置１０８に表示する。紙幣が２千円または５千円である場合にも適宜の表示がなされる。
【００４１】
次のステップＳ４では、入出力制御部２８０が操作ボタン１１０の操作に応じた操作情報を主制御部２６１へ出力し、主制御部２６１において操作ボタン１１０が操作されたか否かが判断される。操作ボタン１１０が操作された場合には次のステップＳ５に進み、操作ボタン１１０が操作されない場合にはステップＳ４が繰り返し実行される。換言すれば、操作ボタン１１０の操作がなされるまでは待機状態となる。
【００４２】
次のステップＳ５では、主制御部２６１が操作ボタン１１０の操作に対応して両替金種および枚数を決定する。例えば、投入された紙幣が１万円であり、１千円紙幣９枚と１００円硬貨１０枚の両替であると決定する。その後、ステップＳ６に進む。
【００４３】
次のステップＳ６では、ステップＳ５で決定された両替における紙幣の払い出しの有無が主制御部２６１により判断される。紙幣の払い出しが有ると判断された場合、次のステップＳ７に進む。紙幣の払い出しが無いと判断された場合、ステップＳ８に進む。
【００４４】
次のステップＳ７では、ステップＳ５で決定された両替金種および枚数に基づいて主制御部２６１が紙幣出金情報を紙幣入出金制御部２８２へ出力し、紙幣入出金制御部２８２が紙幣入出金ユニット１３６を作動させて決定された金種および枚数の紙幣を払い出す。その後、ステップＳ８に進む。
【００４５】
次のステップＳ８では、ステップＳ５で決定された両替における５００円硬貨の払い出しの有無が主制御部２６１により判断される。５００円硬貨の払い出しが有ると判断された場合には次のステップＳ９に進み、５００円硬貨の払い出しが無いと判断された場合にはステップＳ１０に進む。
【００４６】
次のステップＳ９では、主制御部２６１が硬貨払出計数制御部２８４へ５００円硬貨の払出しを指示する硬貨払出指令を出力すると共に、振分制御部２８６へ５００円硬貨に対応する硬貨振分シュート１３４の振分位置を指定する振分指令を出力する。硬貨払出指令を受けた硬貨払出計数制御部２８４は硬貨払出ユニット１３２（すなわち、５００円硬貨払出ユニット）を作動させ、硬貨払出ユニット１３２から５００円硬貨が払い出される。振分指令を受けた振分制御部２８６は、硬貨振分シュート１３４の回動板２２０を回収位置ＣＰから払出位置ＤＰに移動させる。これにより、硬貨振分シュート１３４の開口２１８から５００円硬貨が払い出され、共通シュート１６６および硬貨払出口１２０を介して硬貨受皿１２２に貯留される。硬貨払出ユニット１３２の硬貨センサにより５００円硬貨の払い出しが検知されると、硬貨払出計数制御部２８４は払い出し枚数が指定された枚数に達したと判断し、硬貨払出ユニット１３２における５００円硬貨の払い出しを停止すると共に、主制御部２６１へ５００円硬貨の払い出しを完了した情報を出力する。これに伴って、主制御部２６１は振分制御部２８６に対して硬貨払出完了指令を出力する。硬貨払出完了指令を受けた振分制御部２８６は、硬貨振分シュート１３４の回動板２２０を払出位置ＤＰから回収位置ＣＰに移動させる。
【００４７】
次のステップＳ１０では、ステップＳ５で決定された両替金種に１００円硬貨があるか否かを主制御部２６１が判断する。１００円硬貨の払い出しが有ると判断された場合、次のステップＳ１１に進む。１００円硬貨の払い出しが無いと判断された場合、ステップＳ１へ戻る。
【００４８】
次のステップＳ１１では、主制御部２６１が硬貨払出計数制御部２８４へ１００円硬貨の払出しを指示する硬貨払出指令を出力すると共に、振分制御部２８６へ１００円硬貨に対応する硬貨振分シュート１３３の振分位置を指定する振分指令を出力する。硬貨払出指令を受けた硬貨払出計数制御部２８４は硬貨払出ユニット１３１（すなわち、１００円硬貨払出ユニット）を作動させ、硬貨払出ユニット１３１から１００円硬貨が払い出される。振分指令を受けた振分制御部２８６は、硬貨振分シュート１３３の回動板２２０を回収位置ＣＰから払出位置ＤＰに移動させる。これにより、硬貨振分シュート１３３の開口２１８から１００円硬貨が払い出され、共通シュート１６６および硬貨払出口１２０を介して硬貨受皿１２２に貯留される。硬貨払出ユニット１３２の硬貨センサにより１００円硬貨の払い出しが検知されると、硬貨払出計数制御部２８４は払い出し枚数を計数し、計数値が指定された枚数に達した場合に硬貨払出ユニット１３１における１００円硬貨の払い出しを停止すると共に、主制御部２６１へ１００円硬貨の払い出しを完了した情報を出力する。これに伴って、主制御部２６１は振分制御部２８６に対して硬貨払出完了指令を出力する。硬貨払出完了指令を受けた振分制御部２８６は、硬貨振分シュート１３３の回動板２２０を払出位置ＤＰから回収位置ＣＰに移動させる。
【００４９】
次に、ステップＳ２において紙幣の入金が無いと判断された場合に実行されるステップＳ１２について説明する。ステップＳ１２では、５００円硬貨の入金であるか否かが判断される。すなわち、硬貨選別装置１５４から出力される硬貨検知信号に基づいて硬貨入金計数部２８８で計数された硬貨の金種が５００円硬貨であるか否かが主制御部２６１で判断される。５００円硬貨の入金であると判断された場合、主制御部２６１が１００円硬貨への両替であると判断し、次のステップＳ１３へ進む。主制御部２６１により５００円硬貨の入金でないと判断された場合、１００円硬貨の入金であると判断し、図１５のステップＳ１５へ進む。
【００５０】
ステップＳ１３では、ステップＳ１１と同様に硬貨払出ユニット１３１（すなわち、１００円硬貨払出ユニット）および硬貨振分シュート１３３が作動されて、５枚の１００円硬貨が払い出されて硬貨受皿１２２に貯留される。
【００５１】
図１５のステップＳ１５〜Ｓ２０では、１００円硬貨が入金された場合の逆両替（すなわち、１００円硬貨から５００円硬貨または１０００円紙幣への両替）の動作を示す。まず、ステップＳ１５では、１００円硬貨の入金枚数に対応した金額と等価となる逆両替の金種および枚数が表示装置１０８に表示される。すなわち、硬貨投入口１１６に投入された１００円硬貨の真偽が硬貨選別装置１５４で判別され、判別結果が正貨の場合に硬貨選別装置１５４が硬貨検知信号を硬貨入金計数部２８８へ出力する。硬貨入金計数部２８８は、入力された硬貨検知信号を計数し、１００円硬貨の入金枚数を示す硬貨入金情報を主制御部２６１へ出力する。主制御部２６１は、硬貨入金情報から逆両替可能な金種および枚数を決定し、入出力制御部２８０へ表示情報を出力する。表示情報を受けた入出力制御部２８０は、逆両替金種および枚数を表示装置１０８に表示する。例えば、１００円硬貨が５枚投入された場合には５００円硬貨１枚への逆両替が表示され、１００円硬貨１０枚が投入された場合には１千円紙幣１枚への逆両替が表示される。
【００５２】
次のステップＳ１６では、図１４のステップＳ４と同様に操作ボタン１１０が操作されたか否かが判断される。操作ボタン１１０が操作された場合には次のステップＳ１７に進み、操作ボタン１１０が操作されない場合にはステップＳ１６が繰り返し実行される。換言すれば、操作ボタン１１０の操作がなされるまでは待機状態となる。
【００５３】
次のステップＳ１７では、主制御部２６１が操作ボタン１１０の操作に対応して逆両替金種および枚数を決定する。その後、ステップＳ１８に進む。
【００５４】
次のステップＳ１８では、ステップＳ１７で決定された逆両替における５００円硬貨の払い出しの有無が主制御部２６１により判断される。５００円硬貨の払い出しが有ると判断された場合、次のステップＳ１９に進む。５００円硬貨の払い出しが無いと判断された場合、ステップＳ２０に進む。
【００５５】
次のステップＳ１９では、図１４のステップＳ９と同様に硬貨払出ユニット１３２（すなわち、５００円硬貨払出ユニット）が作動されて５００円硬貨が払い出され、硬貨受皿１２２に貯留される。この場合にも、硬貨振分シュート１３４の回動板２２０は回収位置ＣＰから払出位置ＤＰに移動され、５００円硬貨の払い出しが完了すると回動板２２０は払出位置ＤＰから回収位置ＣＰに移動される。
【００５６】
次のステップＳ２０では、ステップＳ１７で決定された逆両替における紙幣の払い出しの有無が判断される。紙幣の払い出しが有ると判断された場合、次のステップＳ２１に進む。紙幣の払い出しが無いと判断された場合、図１４のステップＳ１に戻る。
【００５７】
次のステップＳ２１では、図１４のステップＳ７と同様に紙幣入出金ユニット１３６が作動され、１千円紙幣が紙幣出金口１１４から払い出される。その後、図１４のステップＳ１に戻る。
【００５８】
次に、図１６および図１７を参照しながら、両替機１０の入出金情報の出力および硬貨の補給動作について説明する。まず、図１５のステップＳ３１において、主制御部２６１が表示部２６４に選択可能な操作項目を表示する。
【００５９】
次のステップＳ３２では、入力キー２６２の操作に応じた操作情報が主制御部２６１に入力され、主制御部２６１において入力キー２６２が操作されたか否かが判断される。入力キー２６２が操作された場合には次のステップＳ３３に進み、入力キー２６２が操作されない場合にはステップＳ３２が繰り返し実行される。換言すれば、入力キー２６２の操作がなされるまでは待機状態となる。
【００６０】
次のステップＳ３３では、入力キー２６２の操作に応じて選択された操作項目が入出金情報の印刷であるか否かが主制御部２６１により判断される。すなわち、ステップＳ３２において所定のボタンが押下された場合に入出金情報の印刷であると判断される。入出金情報の印刷であると判断された場合、ステップＳ３４に進み、主制御部２６１から出力される入出金情報がプリンタ２６６により印刷される。入出金情報の印刷でないと判断された場合、ステップＳ３４に進む。
【００６１】
入出金情報としては、例えば、両替機１０における１日の硬貨および紙幣の払い出し枚数、受け入れ枚数、受け入れ合計金額などがレシートに印刷される。両替機１０の管理者は、これらの情報に基づいて両替機１０を管理することができる。
【００６２】
次のステップＳ３５では、ステップＳ３３における入力キー２６２の操作で選択された操作項目が硬貨の補給であるか否かが主制御部２６１により判断される。硬貨の補給であると判断された場合、ステップＳ３６に進む。硬貨の補給ではないと判断された場合、ステップＳ３１に戻る。
【００６３】
次のステップＳ３６では、主制御部２６１が補給硬貨の金種の選択を促す情報を表示部２６４に表示する。すなわち、表示部２６４には１００円硬貨の補給か５００円硬貨の補給かを選択する情報が表示される。
【００６４】
次のステップＳ３７では、入力キー２６２の操作に応じた操作情報が主制御部２６１に入力され、主制御部２６１において入力キー２６２が操作されたか否かが判断される。入力キー２６２が操作された場合には次のステップＳ３８に進み、入力キー２６２が操作されない場合にはステップＳ３７が繰り返し実行される。換言すれば、入力キー２６２の操作がなされるまでは待機状態となる。
【００６５】
次のステップＳ３８では、ステップＳ３７での入力キー２６２の操作に応じて主制御部２６１が補給硬貨の金種を決定する。
【００６６】
次のステップＳ３９では、ステップＳ３８で決定された金種の硬貨の補給枚数の入力を促す情報を表示部２６４に表示する。例えば、ステップＳ３８で決定された金種が１００円硬貨の場合、表示部２６４には１００円硬貨の補給枚数の入力を求める情報が表示される。
【００６７】
次のステップＳ４０では、入力キー２６２の操作に応じた操作情報が主制御部２６１に入力され、主制御部２６１において入力キー２６２が操作されたか否かが判断される。入力キー２６２が操作された場合には次のステップＳ４１に進み、入力キー２６２が操作されない場合にはステップＳ４０が繰り返し実行される。換言すれば、入力キー２６２の操作がなされるまでは待機状態となる。
【００６８】
次のステップＳ４１では、主制御部２６１が、ステップＳ４０での入力キー２６２の操作に応じて硬貨の補給枚数を決定すると共に、補給硬貨の金種および枚数から算出される金額に相当する紙幣の金種および枚数を決定する。換言すれば、補給硬貨を紙幣に等価交換した場合の紙幣の金種および枚数を決定する。
【００６９】
次のステップＳ４２では、ステップＳ３８で決定された金種とステップＳ４１で決定された補給枚数の硬貨の投入を指示する情報を主制御部２６１が表示部２６４に表示する。例えば、表示部２６４には、１００円硬貨を２０００枚投入するよう表示される。この場合、管理者は、１００円硬貨を貯留する硬貨貯留容器１３８の第１前面板１８２を回動させ、硬貨補給口２００を開放し、予め準備された２０００枚の１００円硬貨を硬貨供給口２００を介して硬貨貯留容器１３８に投入する。これにより、１００円硬貨の補給がなされる。５００円硬貨の場合には、１００円硬貨の場合と同様に、硬貨貯留容器１４０に５００円硬貨を投入することにより、５００円硬貨の補給がなされる。
【００７０】
次のステップＳ４３では、入力キー２６２の操作に応じた操作情報が主制御部２６１に入力され、主制御部２６１において入力キー２６２が操作されたか否かが判断される。入力キー２６２が操作された場合には次のステップＳ４４に進み、入力キー２６２が操作されない場合にはステップＳ４３が繰り返し実行される。換言すれば、入力キー２６２の操作がなされるまでは待機状態となる。
【００７１】
次のステップＳ４４では、ステップＳ４３における入力キー２６３の操作に対応して硬貨の補給が完了したことが確認され、紙幣入出金ユニット１３６から等価交換紙幣が払い出される。すなわち、ステップＳ４１で決定された等価交換紙幣の金種および枚数に基づき、主制御部２６１が紙幣入出金制御部２８２に対して紙幣払出指令を出力し、紙幣入出金制御部２８２が紙幣入出金ユニット１３６を制御して、紙幣入出金ユニット１３６から紙幣が払い出される。例えば、１００円硬貨を２０００枚補給した場合、１万円紙幣２０枚が払い出される。
【００７２】
次のステップＳ４５では、入力キー２６２の操作に応じた操作情報が主制御部２６１に入力され、主制御部２６１において入力キー２６２が操作されたか否かが判断される。入力キー２６２が操作された場合には次のステップＳ４６に進み、入力キー２６２が操作されない場合にはステップＳ４５が繰り返し実行される。換言すれば、入力キー２６２の操作がなされるまでは待機状態となる。
【００７３】
次のステップＳ４６では、ステップＳ４５における入力キー２６３の操作に対応して主制御部２６１により硬貨の補給が完了したか否かが判断される。補給が完了したと判断された場合、図１６のステップＳ３１に戻る。補給が完了していない場合、図１６のステップＳ３６に戻る。
【００７４】
（ゲーム場の運営システム）
次に、図１８を参照しながら、ゲーム場における両替機１０の使用方法について説明する。図１８は、両替機１０が使用されるゲーム場運営システム１を示す。ゲーム場運営システム１は、両替機１０と、複数のゲーム機２０Ａ〜２０Ｅと、集金装置３０とにより構成される。各ゲーム機２０Ａ〜２０Ｅは、ゲーム場の利用者が所定金額の硬貨を各ゲーム機２０Ａ〜２０Ｅの硬貨投入口２１に投入することにより、プレイが可能となる。硬貨投入口２１に投入された硬貨は、各ゲーム機２０Ａ〜２０Ｅの内部に設けられた金庫（図示せず）に貯留される。
【００７５】
ゲーム場の営業終了後、ゲーム場の管理者により、各ゲーム機２０Ａ〜２０Ｅの金庫に貯留された硬貨が回収される。硬貨の回収は、集金装置３０を用いて行われる。集金装置３０は、ゲーム機２０Ａ〜２０Ｅから回収された硬貨の枚数を金種別に計数する機能を有している。回収された硬貨は、集金装置３０の内部に設けられた貯留部（図示せず）に貯留される。
【００７６】
ゲーム場の管理者は、営業終了後に両替機１０の入力キー２６２を操作して、両替機１０の入出金情報を印刷する。管理者は、印刷された入出金情報から両替機１０における硬貨の払い出し枚数を確認し、確認された払い出し枚数から硬貨の補給枚数を判断する。例えば、１００円硬貨の払い出し枚数が２０００枚の場合、２０００枚の１００円硬貨を補給すると判断する。管理者は、集金装置３０の貯留部に貯留された１００円硬貨を集金装置３０で計数して２０００枚の１００円硬貨を準備する。このとき、管理者は、集金装置３０の操作キー３１を操作して、２０００枚の１００円硬貨の引き出し情報を集金装置３０に入力する。その後、管理者は、両替機１０の入力キー２６２を操作して、２０００枚の１００円硬貨を補給する作業を行い、両替機１０の紙幣出金口１１４から払い出された２０万円の等価交換紙幣を回収する。管理者は、回収された等価交換紙幣の金種および枚数に関する情報（１万円紙幣、２０枚）を操作キー３１を介して集金装置３０に入力する。こうして、ゲーム機２０Ａ〜２０Ｅからの硬貨の回収作業と、両替機１０における硬貨の補給作業が完了する。
【００７７】
上述した通り、本発明の一実施形態の両替機１０では、両替硬貨の補給は、硬貨貯留容器１３８、１４０の硬貨供給口２００に複数のゲーム機２０Ａ〜２０Ｅから回収された硬貨を投入することによりなされる。その際に、補給する両替硬貨の枚数が入力キー２６２で入力される。そして、制御ユニット１３０が入力された硬貨補給情報に基づいて補給される硬貨と同額の両替紙幣の払い出しを紙幣入出金ユニット１３６に対して指定し、紙幣入出金ユニット１３６が指定された金額の両替紙幣を紙幣出金口１１４から払い出す。
【００７８】
したがって、ゲーム機２０Ａ〜２０Ｅからの回収硬貨を硬貨の補給に用いることにより、硬貨の回収作業が改善され、利便性を高めることができる。また、ゲーム機２０Ａ〜２０Ｅから回収された硬貨はゲーム機２０Ａ〜２０Ｅにおける売上金に相当するため、硬貨による売上金を紙幣に等価交換することができる。そのため、売上金に占める硬貨の割合が減少し、売上金の管理が容易になる。
【００７９】
なお、本発明は、上記実施形態に限定されるものではなく、種々の変更が可能である。例えば、上記実施形態では補給する硬貨の枚数を入力しているが、硬貨の枚数の代わりに硬貨の金額を入力してもよい。また、補給する硬貨の枚数を入力キー２６２で手入力する代わりに、集金装置３０との間で通信可能な通信手段を用い、集金装置３０で計数された硬貨の枚数を集金装置３０から受信して入力することもできる。換言すれば、通信手段を入力装置として用いてもよい。
【符号の説明】
【００８０】
１０  両替機
１０２  筐体
１０４  前扉
１０８  表示装置
１１０  操作ボタン
１１２  紙幣入金口
１１４  紙幣出金口
１１６  硬貨投入口
１１８  返却レバー
１２０  硬貨払出口
１２２  硬貨受皿
１２４  主ロック装置
１２６、１２８  棚部材
１３０  制御ユニット
１３１、１３２  硬貨払出ユニット
１３３、１３４  硬貨振分シュート
１３６  紙幣入出金ユニット
１３８、１４０  硬貨貯留容器
１４２、１４４  硬貨回収シュート
１４５  掛止体
１４６、１４８  硬貨回収袋
１５０  電源ユニット
１５４  硬貨選別装置
１５４ａ  投入口
１５４ｂ  第１正貨口
１５４ｃ  第２正貨口
１５４ｄ  返却口
１５５  誘導部材
１５６、１５８  硬貨金庫
１６０、１６２、１６４、１６８  シュート
１６６  共通シュート
１７２  左側板
１７４  右側板
１７６  背面板
１７８  前面部
１８０  貯留空間
１８２  第１前面板
１８４  第２前面板
１８６  第３前面板
１８８  第４前面板
１９０、１９２  ヒンジ
１９４、１９６  ロック機構
１９８  開口
２００  硬貨補給口
２０２  基台
２０４  ベース部材
２０６  硬貨送出機構
２０８  保留ボウル
２０９ａ  開口
２０９ｂ  上部
２０９ｃ  下部
２０９ｄ  傾斜部
２１０  電気モータ
２１２  硬貨出口
２１３  案内部材
２１５  硬貨通路
２１６  通路形成部材
２１７  前面板
２１８  開口
２２０  回動板
２２２  ソレノイド
２２４  開口
２２５  硬貨通路形成体
２２５ａ  前面板
２２５ａａ  上部
２２５ａｂ  中間部
２２５ａｃ  下部
２２５ｂ  背面板
２２５ｃ  左側板
２２５ｄ  右側板
２２６  硬貨通路
２２７、２２８  開口
２２９  取り付け部材
２３２、２３４  硬貨受入口
２３６、２３８  隔壁
２４０、２４２  傾斜壁
２４４  斜面
２４６、２４８  ロック機構
２５２  筐体
２５４  前面板
２５５  左側板
２５６  ロック機構
２５７  第１紙幣収納庫
２５８  第２紙幣収納庫
２５９  第３紙幣収納庫
２６１  主制御部
２６２  入力キー
２６４  表示部
２６６  プリンタ
２８０  入出力制御部
２８２  紙幣入出金制御部
２８４  硬貨払出計数制御部
２８６  振分制御部
２８８  硬貨入金計数部
ＣＰ  回収位置
ＤＰ  払出位置
【図１】
0006582225.tif 000002
【図２】
0006582225.tif 000003
【図３】
0006582225.tif 000004
【図４】
0006582225.tif 000005
【図５】
0006582225.tif 000006
【図６】
0006582225.tif 000007
【図７】
0006582225.tif 000008
【図８】
0006582225.tif 000009
【図９】
0006582225.tif 000010
【図１０】
0006582225.tif 000011
【図１１】
0006582225.tif 000012
【図１２】
0006582225.tif 000013
【図１３】
0006582225.tif 000014
【図１４】
0006582225.tif 000015
【図１５】
0006582225.tif 000016
【図１６】
0006582225.tif 000017
【図１７】
0006582225.tif 000018
【図１８】
0006582225.tif 000019